(57)【要約】      （修正有）【課題】受信装置で録画された番組と、受信装置で録画されていない番組とをユーザが簡単な操作で視聴可能にする。【解決手段】受信装置１は、自身が受信する第１放送信号に対応する番組を録画する録画部１５６と、受信装置１において録画された番組のリストである第１リストを取得するとともに、通信ネットワークを介して外部機器において録画された番組のリストである第２リストを取得する第２取得部１５７と、取得された第１リストと第２リストとを含む統合リストをテレビ受信機に表示させる表示制御部１５４と、統合リストに含まれる番組のうち、再生する番組を選択する選択部１５８と、選択された番組が第１リストに含まれる番組である場合に録画部１５６が録画した番組を再生し、選択された番組が第２リストに含まれる番組である場合に外部機器に通信ネットワークを介して当該番組の再生を指示する再生制御部１５９とを備える。【選択図】図２
2018093262.tif 000002
【特許請求の範囲】
【請求項１】
外部機器に通信ネットワークを介して接続され、放送信号を受信する受信装置であって、
前記受信装置が受信する放送信号に対応する番組を録画する録画部と、
前記受信装置において録画された番組のリストである第１リストを取得するとともに、前記通信ネットワークを介して前記外部機器において録画された番組のリストである第２リストを取得する取得部と、
取得された前記第１リストと、前記第２リストとを含む統合リストをテレビ受信機に表示させる表示制御部と、
前記統合リストに含まれる番組のうち、再生する番組を選択する選択部と、
選択された前記番組が前記第１リストに含まれる番組である場合に前記録画部が録画した番組を再生し、選択された前記番組が前記第２リストに含まれる番組である場合に前記外部機器に前記通信ネットワークを介して当該番組の再生を指示する再生制御部と、
を備える受信装置。
【請求項２】
前記外部機器には、前記テレビ受信機に表示される番組を録画する録画装置が含まれており、
前記取得部は、前記受信装置に接続されている外部機器のうち、前記録画装置を特定し、前記録画装置から前記第２リストを取得する、
請求項１に記載の受信装置。
【請求項３】
前記受信装置は、テレビ受信機と、映像及び音声を伝送するための第２通信ネットワークで接続され、
前記取得部は、前記第２通信ネットワークを介して前記テレビ受信機に関する情報を取得し、前記テレビ受信機に関する情報に基づいて、前記通信ネットワークに接続されている複数の外部機器のうち前記録画装置を特定し、前記録画装置から前記第２リストを取得する、
請求項２に記載の受信装置。
【請求項４】
前記外部機器には前記テレビ受信機が含まれており、
前記再生制御部は、前記テレビ受信機に関する情報に基づいて、前記通信ネットワークに接続されている複数の外部機器のうち、前記テレビ受信機を特定し、前記録画装置に、前記通信ネットワークを介して、前記テレビ受信機における前記番組の再生を指示する、
請求項２又は３に記載の受信装置。
【請求項５】
番組を録画可能なテレビ受信機に通信ネットワークを介して接続され、放送信号を受信する受信装置と、前記受信装置のリモートコントローラとを備える受信システムであって、
前記受信装置は、
前記受信装置が受信する放送信号に対応する番組を録画する録画部と、
前記受信装置において録画された番組のリストである第１リストを取得するとともに、前記通信ネットワークを介して前記テレビ受信機において録画された番組のリストである第２リストを取得する取得部と、
取得された前記第１リストと、前記第２リストとを統合した統合リストを前記テレビ受信機に表示させる表示制御部と、
前記統合リストに含まれる番組のうち、再生する番組を選択する選択部と、
選択された前記番組が前記第１リストに含まれる番組である場合に前記録画部が録画した番組を再生し、選択された前記番組が前記第２リストに含まれる番組である場合に前記テレビ受信機に前記通信ネットワークを介して当該番組の再生を指示する再生制御部と、
前記テレビ受信機に再生が指示されたことに応じて、前記リモートコントローラにおける操作対象機器を、前記受信装置から前記テレビ受信機に変更する操作切替情報を前記リモートコントローラに送信する送信制御部とを有し、
前記リモートコントローラは、
ユーザから操作を受け付ける操作部と、
前記受信装置から前記操作切替情報を受信すると、操作対象機器を、前記受信装置から前記テレビ受信機に切り替える操作切替部とを有する、
受信システム。
【請求項６】
前記再生制御部は、前記テレビ受信機に表示されている画面の、前記番組の再生画面への切替を指示する画面切替情報を前記リモートコントローラに送信し、
前記リモートコントローラは、
前記受信装置と無線通信を行う通信部と、
前記テレビ受信機が受信可能な形式で情報を発信する発信部とをさらに有し、
前記操作切替部は、前記通信部を介して前記画面切替情報を受信すると、前記発信部に、前記画面切替情報を発信させる、
請求項５に記載の受信システム。
【請求項７】
外部機器に通信ネットワークを介して接続され、放送信号を受信する受信装置が実行する番組再生方法であって、
前記受信装置は、自身が受信する放送信号に対応する番組を録画する録画部を備え、
前記受信装置において録画された番組のリストである第１リストを取得するとともに、前記通信ネットワークを介して前記外部機器において録画された番組のリストである第２リストを取得するステップと、
取得された前記第１リストと、前記第２リストとを含む統合リストをテレビ受信機に表示させるステップと、
前記統合リストに含まれる番組のうち、再生する番組を選択するステップと、
選択された前記番組が前記第１リストに含まれる番組である場合に前記録画部が録画した番組を再生し、選択された前記番組が前記第２リストに含まれる番組である場合に前記外部機器に前記通信ネットワークを介して当該番組の再生を指示するステップと、
を有する番組再生方法。
【発明の詳細な説明】
【技術分野】
【０００１】
本発明は、受信装置、受信システム及び番組再生方法に関する。
【背景技術】
【０００２】
ケーブルテレビでは、地上デジタル放送、ＢＳ放送、ＣＳ放送等の様々な放送の信号を受信可能な受信装置であるセットトップボックス（STB：Set Top Box）がユーザに貸与される（例えば、特許文献１参照）。ＳＴＢは、テレビ受信機に接続した状態において、ユーザからリモートコントローラ（以下、リモコンともいう。）を介して操作を受け付けることにより、様々な番組をテレビ受信機に表示させたり、録画したりすることができる。
【先行技術文献】
【特許文献】
【０００３】
【特許文献１】特開２０１５−７０５３８号公報
【発明の概要】
【発明が解決しようとする課題】
【０００４】
ところで、４Ｋ・８Ｋ放送といった、従来のＳＴＢでは対応していない放送が開始されている。このような放送については、ＳＴＢにおいて録画することができないため、テレビ受信機やレコーダ等において録画する必要がある。この場合、ユーザは、ＣＡＴＶの有料放送等のＳＴＢを介して視聴可能な放送の録画番組を視聴する場合には、ＳＴＢのリモコンを操作し、４Ｋ・８Ｋ放送の録画番組を視聴する場合には、テレビの入力切換を行った上で、テレビ受信機やレコーダのリモコンを操作することになり、ユーザの操作が煩雑になるという問題があった。
【０００５】
このような問題に対して、ＨＤＭＩ（High-Definition Multimedia Interface）（登録商標）ケーブルを介して外部機器からテレビ受信機に制御信号を送信するための機能を有するＨＤＭＩ−ＣＥＣを用いることが考えられる。例えば、ＳＴＢのリモコンが録画番組を確認する操作を受け付けると、ＨＤＭＩ−ＣＥＣを用いて、ＳＴＢからテレビ受信機やレコーダにおいて録画された番組の一覧を取得し、当該一覧と、ＳＴＢにおいて録画された番組の一覧とを統合した統合番組表を表示させ、統合番組表から視聴する番組が選択されたことに応じて、当該番組をテレビ受信機に表示させることが考えられる。
【０００６】
しかしながら、ＨＤＭＩ−ＣＥＣが有する機能のうち、テレビ受信機と、レコーダやＳＴＢとの電源のＯＮ／ＯＦＦを連携させる機能よりも高度の機能については、メーカー独自の拡張機能（例えば、ＶＩＥＲＡ−Ｌｉｎｋ（登録商標））によって実現されており、統合番組表において選択された番組を表示させる機能についても、メーカー独自の拡張機能を利用する必要がある。これに対して、ＳＴＢは、ケーブルテレビ事業者が提供するものであり、テレビ受信機のメーカーに関係なくユーザに提供するものであるため、メーカー独自の拡張機能を利用せずに、ＳＴＢで録画された番組と、テレビ受信機等で録画された番組とをユーザが簡単な操作で視聴できるようにすることが求められている。
【０００７】
そこで、本発明はこれらの点に鑑みてなされたものであり、受信装置で録画された番組と、受信装置で録画されていない番組とをユーザが簡単な操作で視聴することができる受信装置、受信システム及び番組再生方法を提供することを目的とする。
【課題を解決するための手段】
【０００８】
本発明の第１の態様に係る受信装置は、外部機器に通信ネットワークを介して接続され、放送信号を受信する受信装置であって、前記受信装置が受信する放送信号に対応する番組を録画する録画部と、前記受信装置において録画された番組のリストである第１リストを取得するとともに、前記通信ネットワークを介して前記外部機器において録画された番組のリストである第２リストを取得する取得部と、取得された前記第１リストと、前記第２リストとを含む統合リストをテレビ受信機に表示させる表示制御部と、前記統合リストに含まれる番組のうち、再生する番組を選択する選択部と、選択された前記番組が前記第１リストに含まれる番組である場合に前記録画部が録画した番組を再生し、選択された前記番組が前記第２リストに含まれる番組である場合に前記外部機器に前記通信ネットワークを介して当該番組の再生を指示する再生制御部と、を備える。
【０００９】
前記外部機器には、前記テレビ受信機に表示される番組を録画する録画装置が含まれており、前記取得部は、前記受信装置に接続されている外部機器のうち、前記録画装置を特定し、前記録画装置から前記第２リストを取得してもよい。
【００１０】
前記受信装置は、テレビ受信機と、映像及び音声を伝送するための第２通信ネットワークで接続され、前記取得部は、前記第２通信ネットワークを介して前記テレビ受信機に関する情報を取得し、前記テレビ受信機に関する情報に基づいて、前記通信ネットワークに接続されている複数の外部機器のうち前記録画装置を特定し、前記録画装置から前記第２リストを取得してもよい。
【００１１】
前記再生制御部は、前記テレビ受信機に関する情報に基づいて、前記通信ネットワークに接続されている複数の外部機器のうち、前記テレビ受信機を特定し、前記録画装置に、前記通信ネットワークを介して、前記テレビ受信機における前記番組の再生を指示してもよい。
【００１２】
本発明の第２の態様に係る受信システムは、番組を録画可能なテレビ受信機に通信ネットワークを介して接続され、放送信号を受信する受信装置と、前記受信装置のリモートコントローラとを備える受信システムであって、前記受信装置は、前記受信装置が受信する放送信号に対応する番組を録画する録画部と、前記受信装置において録画された番組のリストである第１リストを取得するとともに、前記通信ネットワークを介して前記テレビ受信機において録画された番組のリストである第２リストを取得する取得部と、取得された前記第１リストと、前記第２リストとを統合した統合リストを前記テレビ受信機に表示させる表示制御部と、前記統合リストに含まれる番組のうち、再生する番組を選択する選択部と、選択された前記番組が前記第１リストに含まれる番組である場合に前記録画部が録画した番組を再生し、選択された前記番組が前記第２リストに含まれる番組である場合に前記テレビ受信機に前記通信ネットワークを介して当該番組の再生を指示する再生制御部と、前記テレビ受信機に再生が指示されたことに応じて、前記リモートコントローラにおける操作対象機器を、前記受信装置から前記テレビ受信機に変更する操作切替情報を前記リモートコントローラに送信する送信制御部とを有し、前記リモートコントローラは、ユーザから操作を受け付ける操作部と、前記受信装置から前記操作切替情報を受信すると、操作対象機器を、前記受信装置から前記テレビ受信機に切り替える操作切替部とを有する。
【００１３】
前記再生制御部は、前記テレビ受信機に表示されている画面の、前記番組の再生画面への切替を指示する画面切替情報を前記リモートコントローラに送信し、前記リモートコントローラは、前記受信装置と無線通信を行う通信部と、前記テレビ受信機が受信可能な形式で情報を発信する発信部とをさらに有し、前記操作切替部は、前記通信部を介して前記画面切替情報を受信すると、前記発信部に、前記画面切替情報を発信させてもよい。
【００１４】
本発明の第３の態様に係る番組再生方法は、外部機器に通信ネットワークを介して接続され、放送信号を受信する受信装置が実行する番組再生方法であって、前記受信装置は、自身が受信する放送信号に対応する番組を録画する録画部を備え、前記受信装置において録画された番組のリストである第１リストを取得するとともに、前記通信ネットワークを介して前記外部機器において録画された番組のリストである第２リストを取得するステップと、取得された前記第１リストと、前記第２リストとを含む統合リストをテレビ受信機に表示させるステップと、前記統合リストに含まれる番組のうち、再生する番組を選択するステップと、選択された前記番組が前記第１リストに含まれる番組である場合に前記録画部が録画した番組を再生し、選択された前記番組が前記第２リストに含まれる番組である場合に前記外部機器に前記通信ネットワークを介して当該番組の再生を指示するステップと、を有する。
【発明の効果】
【００１５】
本発明によれば、受信装置で録画された番組と、受信装置で録画されていない番組とをユーザが簡単な操作で視聴することができるという効果を奏する。
【図面の簡単な説明】
【００１６】
【図１】本実施形態に係る受信システムの概要を示す図である。
【図２】本実施形態に係る受信装置の構成を示す図である。
【図３】本実施形態に係るリモコンの構成を示す図である。
【図４】本実施形態に係る操作部の詳細な構成を示す図である。
【図５】本実施形態に係る受信システムにおける初期設定に係る処理の流れを示すシーケンス図である。
【図６】本実施形態に係る４Ｋボタンが操作された場合のリモコンの処理の流れを示すフローチャートである。
【図７】本実施形態に係るリモコンがテレビ操作モードで動作する場合の処理の流れを示すフローチャートである。
【図８】本実施形態に係る受信装置における番組表の生成に係る処理の流れを示すフローチャートである。
【図９】本実施形態に係る受信装置における録画登録操作に係る処理の流れを示すフローチャートである。
【図１０】本実施形態に係る受信装置１における録画番組の再生に係る処理の流れを示すフローチャートである。
【発明を実施するための形態】
【００１７】
［受信システムＳの概要］
図１は、本実施形態に係る受信システムＳの概要を示す図である。受信システムＳは、放送信号を受信する受信装置１と、受信装置１のリモートコントローラとしてのリモコン２とを備え、放送信号に対応する映像及び音声をテレビ受信機４に表示させるためのシステムである。
【００１８】
受信装置１は、例えば、ケーブルテレビ用のセットトップボックス（ＳＴＢ）である。受信装置１は、同軸ケーブルＣＣを介して分波器３に接続されているとともに、第２通信ネットワークとしてのＨＤＭＩ（High-Definition Multimedia Interface）ケーブルＨＣを介してテレビ受信機４に接続されている。受信装置１は、ＬＡＮ（Local Area Network）やインターネット等の通信ネットワークＮを介して、外部機器に接続されている。具体的には、受信装置１は、通信ネットワークＮを介して、テレビ受信機４及び番組表を提供する番組表サーバ５に接続されている。受信装置１は、テレビ受信機４が受信する放送信号に対応する番組のリモート録画を行うリモート録画サーバ６に接続されている。分波器３は、ケーブルテレビ放送局から有線により放送信号を受信し、受信装置１が受信可能な第１周波数帯の放送信号を受信装置１に出力するとともに、受信装置１が受信しない第２周波数帯の放送信号をテレビ受信機４に出力する。
【００１９】
ここで、第１周波数帯の放送信号は、例えば、ＣＡＴＶ有料放送に対応する放送信号である。また、第２周波数帯の放送信号は、例えば、４Ｋ放送に対応する放送信号である。なお、以下の説明では、第１周波数帯の放送信号を第１放送信号、第２周波数帯の放送信号を第２放送信号という。また、第１実施形態では、第２放送信号が、４Ｋ放送に対応する放送信号であることとしたが、これに限らず、８Ｋ放送に対応する放送信号、テレビ受信機でのみ受信可能なＩＰＴＶ信号、ＶＯＤ（Video On Demand）サービスであってもよい。
【００２０】
受信装置１は、分波器３を介して、自身が受信可能な第１放送信号を受信し、当該第１放送信号に対応する映像信号及び音声信号をテレビ受信機４に出力する。また、受信装置１は、第１放送信号に含まれる、第１放送信号に対応する番組の情報である第１番組表を取得する。受信装置１は、番組表サーバ５から、第２放送信号に対応する番組の情報である第２番組表を取得する。受信装置１は、取得した番組表を含む番組情報としての統合番組表を生成し、当該統合番組表をテレビ受信機４に表示させる。
【００２１】
テレビ受信機４は、ＨＤＭＩケーブルＨＣを介して受信装置１に接続されており、受信装置１から出力された映像信号及び音声信号に基づいて、映像及び音声を出力する。また、テレビ受信機４は、同軸ケーブルＣＣを介して分波器３に接続されており、分波器３から出力された第２放送信号に対応する映像及び音声を出力する。また、テレビ受信機４は、自身が受信する放送信号に対応する番組を録画する録画機能を有しており、録画装置として機能する。さらに、テレビ受信機４は、通信ネットワークＮを介してリモート録画サーバ６と接続されている。テレビ受信機４は、所定時間おきにリモート録画サーバ６にアクセスし、リモート録画サーバ６において録画登録されている番組を特定し、当該番組の録画又は録画予約を行う。なお、本実施形態では、テレビ受信機４がリモート録画サーバ６にアクセスすることによって録画登録されている番組を特定し、当該番組の録画又は録画予約を行うこととしたが、これに限らない。リモート録画サーバ６が、テレビ受信機４に録画登録されている番組を通知することにより、テレビ受信機４に番組の録画登録を行わせてもよい。
【００２２】
リモコン２は、受信装置１とＢｌｕｅｔｏｏｔｈ（登録商標）等の近距離無線通信によって無線通信を行うことにより、受信装置１に各種操作情報を送信する。また、リモコン２には、赤外線信号等の、テレビ受信機４が受信可能な信号を発信する発信部が設けられている。また、リモコン２には、テレビ受信機４から出力される映像及び音声を、受信装置１が受信する第１放送信号に対応する映像及び音声から、第２放送信号に対応する映像及び音声に切り替えるためのボタンが設けられている。リモコン２は、第１放送信号に対応する映像及び音声がテレビ受信機４から出力されている場合に、当該ボタンが操作されると、テレビ受信機４から出力される映像及び音声を第２放送信号に対応する映像及び音声に切り替えるための情報を発信部に発信させる。テレビ受信機４は、リモコン２から発信された情報を受信すると、第２放送信号に対応する映像及び音声を出力する。
【００２３】
このようにすることで、受信システムＳでは、テレビ受信機４に設けられた、ＨＤＭＩ−ＣＥＣ（Consumer Electronic Control）に対するメーカー独自の拡張機能を用いずに、受信装置１では対応していない放送をテレビ受信機４に表示させることができる。また、ユーザは、リモコン２のみを操作することで、第１放送信号に対応する映像及び音声、又は第２放送信号に対応する映像及び音声をテレビ受信機４に出力させることができる。さらに、受信システムＳでは、テレビ受信機４への制御と、受信装置１への制御とを、リモコン２が適切に出し分けることにより、ユーザは受信装置１とテレビ受信機４のどちらを操作するかを意識することなく、あたかも１つの装置を利用しているかのような操作感で利用できる。
【００２４】
また、受信装置１は、統合番組表がテレビ受信機４に表示されている場合に、リモコン２から、統合番組表に含まれている番組の録画登録操作を示す録画操作情報を受信する。受信装置１は、録画機能を有しており、録画登録対象の番組が第１放送信号に対応している場合には、当該番組の録画登録を行う。受信装置１は、選択された番組が第２放送信号に対応している場合には、リモート録画サーバ６に当該番組の録画登録を行わせる。このようにすることで、受信システムＳでは、統合番組表を介して、第１放送信号に対応する番組を受信装置１に録画させることができるとともに、第２放送信号に対応する番組をテレビ受信機４に録画させることができる。
【００２５】
また、受信装置１は、受信装置１において録画された番組のリストである第１リストと、テレビ受信機４において録画された番組のリストである第２リストとを含む統合リストを表示し、統合リストを介して、ユーザから再生する番組の選択を受け付ける。受信装置１は、選択された番組が第１リストに含まれる番組である場合に、受信装置１が録画した番組を再生し、選択された番組が第２リストに含まれる番組である場合に、テレビ受信機４に通信ネットワークＮを介して当該番組の再生を指示する。このようにすることで、ユーザは、受信装置１で録画された番組と、テレビ受信機４で録画された番組とを簡単な操作で視聴することができる。
以下、受信装置１及びリモコン２の構成について説明する。
【００２６】
［受信装置１の構成例］
まず、受信装置１の構成について説明する。図２は、本実施形態に係る受信装置１の構成を示す図である。受信装置１は、操作部１１と、通信部１２と、無線通信部１３と、記憶部１４と、制御部１５とを備える。
【００２７】
操作部１１は、例えば、操作ボタンであり、ユーザの操作を受け付ける。
通信部１２は、同軸ケーブルＣＣを介して、分波器３によって分波された第１放送信号を受信する。また、通信部１２は、制御部１５の制御により、ＨＤＭＩケーブルを介してテレビ受信機４と通信を行う。また、通信部１２は、通信ネットワークＮを介して、テレビ受信機４、番組表サーバ５及びリモート録画サーバ６と通信を行う。
無線通信部１３は、Ｂｌｕｅｔｏｏｔｈ等の近距離無線通信により、リモコン２と無線通信を行う。
【００２８】
記憶部１４は、例えば、ＲＯＭ（Read Only Memory）、ＲＡＭ（Random Access Memory）及びハードディスク等により構成される。記憶部１４は、番組表や、リモコン２の設定情報や、テレビ受信機４に関する情報等を記憶する。また、記憶部１４は、受信装置１を機能させるための各種プログラムを記憶する。記憶部１４は、受信装置１の制御部１５を、取得部１５１、生成部１５２、第２送信制御部１５３、表示制御部１５４、録画登録部１５５、録画部１５６、第２取得部１５７、選択部１５８及び再生制御部１５９として機能させるための受信装置用プログラムを記憶する。
【００２９】
制御部１５は、例えばＣＰＵである。制御部１５は、記憶部１４に記憶されている各種プログラムを実行することにより、受信装置１に係る機能を制御する。制御部１５は、受信装置用プログラムを実行することにより、取得部１５１、生成部１５２、表示制御部１５４、録画登録部１５５、録画部１５６、第２取得部１５７、選択部１５８及び再生制御部１５９として機能する。これらの機能の詳細については後述する。
【００３０】
［リモコン２の構成例］
続いて、リモコン２の構成について説明する。図３は、本実施形態に係るリモコン２の構成を示す図である。リモコン２は、操作部２１と、無線通信部２２と、発信部２３と、記憶部２４と、制御部２５とを備える。
【００３１】
操作部２１は、例えば、操作ボタンであり、ユーザから操作を受け付ける。図４は、本実施形態に係る操作部２１の詳細な構成を示す図である。図４に示すように、操作部２１には、第１操作部としての４Ｋボタン２１１と、第２操作部としての共用ボタン２１２及びＳＴＢ専用ボタン２１３とが設けられている。
【００３２】
第２操作部として機能するボタンのうち、共用ボタン２１２は、例えば、音量調整ボタン、選局ボタン、上下左右ボタン、決定ボタン、番組表ボタン、録画ボタン、録画一覧ボタン等である。ここで、録画ボタンは、番組表が表示されている場合において、選択されている番組の録画登録を指示するボタンである。録画一覧ボタンは、録画登録が行われている番組の一覧の表示を指示するボタンである。共用ボタン２１２は、テレビ受信機４及び受信装置１のいずれかの操作を受け付ける第３操作部として機能する。ＳＴＢ専用ボタン２１３は、例えば、電源ボタン、ホームボタン、ＣＳ放送選択ボタンである。ＳＴＢ専用ボタン２１３は、受信装置１の操作を受け付ける第４操作部として機能する。
【００３３】
無線通信部２２は、Ｂｌｕｅｔｏｏｔｈ等の近距離無線通信により、受信装置１と無線通信を行う。
発信部２３は、例えば、テレビ受信機４が受信可能な赤外線信号を発信する。発信部２３は、テレビ受信機４が受信可能な形式で情報を発信する。
【００３４】
記憶部２４は、例えば、ＲＯＭ、ＲＡＭ等により構成される。記憶部２４は、受信装置１から受信したリモコン２の設定情報等を記憶する。また、記憶部２４は、リモコン２を機能させるための各種プログラムを記憶する。
制御部２５は、例えばＣＰＵである。制御部２５は、第１送信制御部２５１を備える。第１送信制御部２５１の機能の詳細については後述する。
【００３５】
［初期設定に係る処理の流れ］
続いて、受信システムＳにおける処理の流れについて説明する。まず、受信システムＳにおける初期設定に係る処理について説明する。図５は、本実施形態に係る受信システムＳにおける初期設定に係る処理の流れを示すシーケンス図である。
【００３６】
まず、受信装置１とリモコン２とが近距離無線通信のペアリングを行う（Ｓ１０）。例えば、受信装置１の操作部１１と、リモコン２の操作部２１とのそれぞれが初期設定に係る所定操作を受け付けると、操作部１１の無線通信部１３と、リモコン２の無線通信部２２とが近距離無線通信を行うことによりペアリングを行う。
【００３７】
続いて、受信装置１の取得部１５１は、ＨＤＭＩケーブルＨＣ及び通信部１２を介して、テレビ受信機４から、テレビ受信機４に関する情報を取得する（Ｓ２０）。具体的には、取得部１５１は、ＨＤＭＩ−ＣＥＣを用いて、テレビ受信機４から、テレビ受信機４に関する情報として、テレビ受信機４のメーカー、型番、解像度、及びテレビ受信機４が対応可能なＨＤＣＰ（High-Bandwidth Digital Content Protection）のバージョンを示す情報を取得する。
【００３８】
続いて、第２送信制御部１５３は、取得されたテレビ受信機４に関する情報に基づいて、受信装置１が受信しない第２放送信号をテレビ受信機４が受信可能か否かを示すテレビ受信機情報を生成する（Ｓ３０）。例えば、第２送信制御部１５３は、テレビ受信機４のメーカーと、型番と、テレビ受信機４が第２放送信号を受信可能か否かを示す情報とを関連付けた対応情報を外部サーバ（不図示）から取得する。そして、第２送信制御部１５３は、当該対応情報と、テレビ受信機４に関する情報に含まれるメーカー及び型番とに基づいて、テレビ受信機４が第２放送信号を受信可能か否かを判定する。第２送信制御部１５３は、当該判定結果に基づいて、テレビ受信機情報を生成する。本実施形態では、テレビ受信機４が、第２放送信号を受信可能であるものとする。
【００３９】
なお、第２送信制御部１５３は、テレビ受信機４に関する情報に含まれる解像度と、ＨＤＣＰのバージョンとに基づいて、テレビ受信機４が第２放送信号を受信可能か否かを判定し、当該判定結果に基づいて、テレビ受信機情報を生成してもよい。
【００４０】
続いて、第２送信制御部１５３は、取得されたテレビ受信機４に関する情報に基づいて、テレビ受信機４が受信可能な情報の形式を特定する（Ｓ４０）。例えば、第２送信制御部１５３は、テレビ受信機４のメーカーと、型番と、リモコン２の赤外線信号が示す情報の形式とを関連付けた受信機別形式情報を外部サーバから取得する。第２送信制御部１５３は、当該受信機別形式情報を参照し、テレビ受信機４に関する情報に含まれるテレビ受信機４のメーカーと型番とに関連する情報の形式を特定する。第２送信制御部１５３は、特定した情報の形式を示す形式情報を記憶部１４に記憶させる。
【００４１】
なお、受信機別形式情報は、テレビ受信機４のメーカー及び型番と、リモコンの型番と、リモコンの赤外線信号が示す情報の形式とを関連付けたものであってもよい。そして、第２送信制御部１５３は、リモコン２の型番を特定してもよい。第２送信制御部１５３は、外部サーバに、テレビ受信機４のメーカーと型番と、リモコン２の型番とを送信し、外部サーバから、当該メーカーと型番とに対応する受信機別形式情報を取得してもよい。
【００４２】
続いて、第２送信制御部１５３は、無線通信部１３により、生成したテレビ受信機情報と、特定した情報の形式を示す形式情報とをリモコン２に送信する（Ｓ５０）。
リモコン２の制御部２５は、無線通信部２２が、受信装置１からテレビ受信機情報と、形式情報とを受信すると、これらの情報を設定情報として記憶部２４に記憶させる（Ｓ６０）。Ｓ６０に係る処理が終了すると、初期設定処理が終了する。
【００４３】
なお、テレビ受信機４は、多種多様なメーカーから販売されているテレビ受信機を想定しており、共用ボタン２１２として利用可能なキーは、テレビ受信機４の種別によって異なる。このため、リモコン２では、テレビ受信機４の種別に応じて、必要な共用ボタンを割り当てるようにしてもよい。例えば、受信機別形式情報に、リモコン２において共用ボタン２１２として用いられるボタンを識別するボタン識別情報（操作設定情報）を関連付けておく。そして、第２送信制御部１５３は、取得した受信機別形式情報に含まれているボタン識別情報に基づいて、リモコン２の共用ボタン２１２を設定してもよい。そして、第１送信制御部２５１は、ボタン識別情報に基づいて共用ボタン２１２を特定するようにしてもよい。このようにすることで、テレビ受信機４の種別ごとに適したボタンを共用ボタン２１２にすることができる。
【００４４】
［ＳＴＢ操作モードである場合の処理の流れ］
続いて、受信システムＳにおいてリモコン２が操作された場合の処理について説明する。リモコン２は、操作モードとして、受信装置１を操作するモードであるＳＴＢ操作モードと、テレビ受信機４を操作するモードであるテレビ操作モードとを有している。まず、リモコン２の操作モードがＳＴＢ操作モードである場合の処理について説明する。
【００４５】
第１送信制御部２５１は、リモコン２の操作モードがＳＴＢ操作モードである場合に、操作部２１により、第２放送信号に対応する放送を選択する操作とは異なる操作、すなわち、共用ボタン２１２又はＳＴＢ専用ボタン２１３の操作（第２操作）を受け付けると、無線通信部２２に、操作されたボタンに対応する操作情報（第２操作を示す第２操作情報）を送信させる。
【００４６】
受信装置１の表示制御部１５４は、無線通信部１３が第２操作情報を受信すると、第２操作に対応する画面を表示させる。例えば、第２操作がチャンネルを選択する操作である場合、表示制御部１５４は、通信部１２が受信する第１放送信号から、選択されたチャンネルに対応する放送信号を抽出し、当該放送信号に基づいて映像信号及び音声信号を抽出する。表示制御部１５４は、抽出した映像信号及び音声信号を、通信部１２及びＨＤＭＩケーブルＨＣを介してテレビ受信機４に出力することにより、当該映像信号及び音声信号に対応する映像及び音声をテレビ受信機４に出力させる。
【００４７】
第１送信制御部２５１は、操作部２１により、第２放送信号に対応する放送を選択する操作、すなわち、４Ｋボタン２１１の操作（第１操作）を受け付けると、発信部２３に、４Ｋボタン２１１が操作されたことを示す第１操作情報を発信させる。ここで、第１送信制御部２５１は、記憶部２４に記憶されている形式情報に基づいて、テレビ受信機４が受信可能な形式の第１操作情報を特定し、当該第１操作情報を発信部２３に発信させる。
【００４８】
図６は、本実施形態に係る４Ｋボタン２１１が操作された場合のリモコン２の処理の流れを示すフローチャートである。
まず、第１送信制御部２５１は、４Ｋボタン２１１が操作されると、テレビ受信機４が第２放送信号に対応しているか否かを判定する（Ｓ１１０）。具体的には、第１送信制御部２５１は、４Ｋボタン２１１が操作されると、記憶部２４に記憶されているテレビ受信機情報を参照し、テレビ受信機４が第２放送信号を受信可能か否かを判定する。第１送信制御部２５１は、テレビ受信機４が第２放送信号を受信可能と判定すると、Ｓ１２０に処理を移し、発信部２３に第１操作情報を発信させる。
【００４９】
第１操作情報には、例えば、テレビ受信機４の入力切替を指示する情報と、４Ｋ放送に対応する１つのチャンネルを選択、又は最後に表示していた４Ｋ放送のチャンネル（ラストチャンネル）を選択するチャンネル選択情報とが含まれている。テレビ受信機４は、第１操作情報を受信すると、表示する画面を、テレビ受信機４が受信する第２放送信号に基づく映像を出力する画面に切り替えるとともに、選択された４Ｋ放送のチャンネルに対応する映像及び音声を出力する。
続いて、第１送信制御部２５１は、リモコン２の操作モードをＳＴＢ操作モードからテレビ操作モードに切り替える（Ｓ１３０）。
【００５０】
また、第１送信制御部２５１は、Ｓ１１０において、テレビ受信機４が第２放送信号を受信しないと判定すると、Ｓ１４０に処理を移し、無線通信部２２により、テレビ受信機４が当該放送信号を受信しないことを示すエラー情報を受信装置１に送信させる。受信装置１の表示制御部１５４は、無線通信部１３がエラー情報を受信すると、テレビ受信機４が４Ｋ放送に対応していない旨を示す情報をテレビ受信機４に表示させる。このようにすることで、ユーザは、テレビ受信機４が４Ｋ放送に対応していないことを把握することができる。
【００５１】
［テレビ操作モードである場合の処理の流れ］
続いて、リモコン２の操作モードがテレビ操作モードである場合の処理について説明する。第１送信制御部２５１は、発信部２３に第１操作情報を発信させ、リモコン２の操作モードをテレビ操作モードに切り替えた後に、操作部２１により、第２操作に対応する複数の操作のうち、一部の操作である第３操作を受け付けると、発信部２３に第３操作を示す第３操作情報を発信させ、第２操作に対応する複数の操作のうち、当該一部の操作とは異なる操作である第４操作を受け付けると、無線通信部２２に第４操作を示す第４操作情報を送信させる。
【００５２】
図７は、本実施形態に係るリモコン２がテレビ操作モードで動作する場合の処理の流れを示すフローチャートである。
まず、第１送信制御部２５１は、ＳＴＢ専用ボタン２１３が操作されたか否かを判定する（Ｓ２１０）。第１送信制御部２５１は、ＳＴＢ専用ボタン２１３が操作されたと判定すると、Ｓ２２０に処理を移し、ＳＴＢ専用ボタン２１３が操作されていないと判定すると、Ｓ２４０に処理を移す。
【００５３】
Ｓ２２０において、第１送信制御部２５１は、第２操作に対応する複数の操作のうち、ＳＴＢ専用ボタン２１３の操作（第４操作）を受け付けると、無線通信部２２により、操作されたＳＴＢ専用ボタン２１３に対応する操作情報（第４操作情報）を受信装置１に送信する。受信装置１の表示制御部１５４は、無線通信部１３が第４操作情報を受信すると、テレビ受信機４に、操作されたＳＴＢ専用ボタン２１３に対応する画面を表示させる。
【００５４】
続いて、第１送信制御部２５１は、リモコン２の操作モードを、テレビ操作モードからＳＴＢ操作モードに切り替える（Ｓ２３０）。このように、リモコン２の操作モードが、テレビ操作モードからＳＴＢ操作モードに切り替わることから、第１送信制御部２５１は、無線通信部２２に第４操作情報を送信させた後に、第３操作としての共用ボタン２１２を受け付けると、無線通信部２２に第３操作情報を送信させる。よって、ユーザは、リモコン２によるテレビ受信機４の操作と、受信装置１の操作とを容易に切り替えることができる。
【００５５】
なお、第１送信制御部２５１は、ＳＴＢ専用ボタン２１３のうち、電源ボタンが押下されると、リモコン２の操作モードを、テレビ操作モードからＳＴＢ操作モードに切り替えた後、無線通信部２２により、電源ボタンが押下されたことを示す操作情報を受信装置１に送信する。
【００５６】
第１送信制御部２５１は、Ｓ２１０においてＳＴＢ専用ボタン２１３が操作されていないと判定すると、共用ボタン２１２が操作されたか否かを判定する（Ｓ２４０）。第１送信制御部２５１は、共用ボタン２１２が操作されたと判定すると、Ｓ２５０に処理を移し、共用ボタン２１２が操作されていないと判定すると、Ｓ２１０に処理を移す。
【００５７】
Ｓ２５０において、第１送信制御部２５１は、共用ボタン２１２に対応する操作情報（第３操作情報）を発信部２３に発信させる。ここで、第１送信制御部２５１は、記憶部２４に記憶されている形式情報に基づいて、テレビ受信機４が受信可能な形式の第３操作情報を特定し、当該第３操作情報を発信部２３に発信させる。テレビ受信機４は、第３操作情報を受信すると、第３操作情報に基づく映像及び音声を出力する。
【００５８】
［番組表の生成］
受信装置１は、統合番組表をテレビ受信機４に表示させるために、統合番組表を所定時間おきに生成する。以下に、番組表の生成に係る受信装置１の機能についてフローチャートを参照しながら説明する。
【００５９】
図８は、本実施形態に係る受信装置１における番組表の生成に係る処理の流れを示すフローチャートである。
まず、受信装置１の取得部１５１は、第１放送信号に対応する番組の情報である第１番組表を取得する（Ｓ３１０）。例えば、取得部１５１は、所定時間おきに第１放送信号に含まれている電子番組表情報（電子番組表：Electronic Program Guide）を第１番組表として取得する。取得部１５１は、取得した第１番組表を記憶部１４に記憶させる。取得部１５１は、第１番組表が記憶部１４に既に記憶されている場合には、記憶部１４に記憶されている第１番組表を、取得した第１番組表に更新する。
【００６０】
続いて、取得部１５１は、第２放送信号に対応する番組の情報である第２番組表を取得する（Ｓ３２０）。具体的には、取得部１５１は、通信部１２を介して、番組表サーバ５から第２番組表を取得する。取得部１５１は、取得した第２番組表を記憶部１４に記憶させる。取得部１５１は、第２番組表が記憶部１４に既に記憶されている場合には、記憶部１４に記憶されている第２番組表を、取得した第２番組表に更新する。
【００６１】
続いて、生成部１５２は、記憶部１４に記憶されている第１番組表と第２番組表とに基づいて統合番組表を生成する（Ｓ３３０）。
続いて、生成部１５２は、生成した統合番組表を記憶部１４に記憶させる（Ｓ３４０）。生成部１５２は、統合番組表が記憶部１４に既に記憶されている場合には、記憶部１４に記憶されている統合番組表を、取得した統合番組表に更新する。
【００６２】
［番組表の表示］
受信装置１は、リモコン２がＳＴＢ操作モードで動作している場合に統合番組表をテレビ受信機４に表示させる。例えば、リモコン２の第１送信制御部２５１は、番組表ボタンの操作を受け付けると、無線通信部２２により、番組表の表示を指示する操作情報を受信装置１に送信する。受信装置１の表示制御部１５４は、無線通信部１３が当該操作情報を受信すると、記憶部１４に記憶されている統合番組表をテレビ受信機４に表示させる。
【００６３】
［番組表を介した録画登録操作］
続いて、統合番組表を介した録画登録操作に係る処理について説明する。受信装置１は、統合番組表がテレビ受信機４に表示されている場合に、リモコン２を介して統合番組表の操作を受け付けることにより、番組の録画登録を行うことができる。以下に、統合番組表を介した録画登録操作に係る受信装置１の処理について説明する。
【００６４】
図９は、本実施形態に係る受信装置１における録画登録操作に係る処理の流れを示すフローチャートである。なお、本フローチャートの開始時に、テレビ受信機４に統合番組表が表示されているものとする。
【００６５】
まず、録画登録部１５５は、録画登録操作を受け付ける（Ｓ４１０）。例えば、リモコン２の第１送信制御部２５１は、ユーザから録画登録操作を受け付けると、録画操作情報を受信装置１に送信する。ここで、録画登録操作は、例えば、統合番組表において１つの番組が選択されている状態において録画ボタンを選択する操作である。受信装置１の無線通信部１３が録画操作情報を受信すると、録画登録部１５５は、録画登録操作を受け付ける。
【００６６】
続いて、録画登録部１５５は、統合番組表に含まれる番組の情報に基づいて、録画を行う番組を選択する（Ｓ４２０）。例えば、録画登録部１５５は、録画登録操作を受け付けると、統合番組表において現在選択されている番組を、録画を行う番組として選択する。
【００６７】
続いて、録画登録部１５５は、選択された番組が、第１放送信号に対応する番組か否かを判定する（Ｓ４３０）。例えば、録画登録部１５５は、統合番組表に含まれている、選択された番組の情報に基づいて、番組に対応するチャンネルを特定する。録画登録部１５５は、特定されたチャンネルに基づいて、選択された番組が第１放送信号に対応する番組か否かを判定する。
【００６８】
録画登録部１５５は、選択された番組が第１放送信号に対応すると判定すると、Ｓ４４０に処理を移し、録画部１５６に当該番組の録画登録を行わせる。例えば、録画登録部１５５は、録画する番組に対応するチャンネルを示すチャンネル情報と、番組のタイトルを示すタイトル情報と、当該番組の開始時刻及び終了時刻を示す録画時刻情報と、及び録画によって生成される動画の品質を示す品質情報とを含む録画登録情報を記憶部１４に記憶させる。録画部１５６は、記憶部１４に記憶された録画登録情報に基づいて、第１放送信号に対応する番組を録画する。録画部１５６は、番組を示す動画情報を記憶部１４に記憶させることにより、第１放送信号に対応する番組を録画する。
【００６９】
また、録画登録部１５５は、選択された番組が第１放送信号に対応しない場合には、選択された番組が第２放送信号に対応すると判定し、Ｓ４５０に処理を移す。Ｓ４５０において、録画登録部１５５は、リモート録画サーバ６に、当該番組の録画登録を行わせる。例えば、録画登録部１５５は、チャンネル情報、タイトル情報、録画時刻情報、及び品質情報を含む録画登録情報をリモート録画サーバ６に送信する。リモート録画サーバ６は、録画登録情報を受信すると、当該録画登録情報を自身の記憶部に記憶することにより、番組の録画登録を行う。テレビ受信機４は、リモート録画サーバ６にアクセスし、新たに録画登録が行われた番組を特定し、当該番組を録画する。テレビ受信機４は、録画された番組に対応する録画登録情報を自身の記憶部に記憶してもよい。このようにすることで、ユーザは、統合番組表から、録画機器や、放送信号の種別を意識することなく、番組の録画を容易に行うことができる。なお、リモート録画サーバ６は、テレビ受信機４に録画登録されている番組を通知することにより、テレビ受信機４に番組の録画登録を行わせてもよい。
【００７０】
［録画された番組の再生］
続いて、録画番組の再生に係る受信装置１及びリモコン２の処理について説明する。図１０は、本実施形態に係る受信装置１における録画番組の再生に係る処理の流れを示すフローチャートである。なお、本フローチャートの開始時に、受信装置１及びテレビ受信機４のそれぞれにおいて番組が録画されているものとする。また、本フローチャートの開始時に、リモコン２がＳＴＢ操作モードで動作しているものとする。
【００７１】
まず、表示制御部１５４は、録画された番組を確認する操作である録画番組確認操作を受け付ける（Ｓ５１０）。リモコン２の第１送信制御部２５１は、ユーザから録画番組確認操作を受け付けると、確認操作情報を受信装置１に送信する。ここで、録画番組確認操作は、録画一覧ボタンを選択する操作である。受信装置１の無線通信部１３が確認操作情報を受信すると、表示制御部１５４は、録画番組確認操作を受け付ける。
【００７２】
第２取得部１５７は、表示制御部１５４が録画番組確認操作を受け付けると、受信装置１において録画された番組のリストである第１リストを取得するとともに、通信ネットワークを介してテレビ受信機４において録画された番組のリストである第２リストを取得する（Ｓ５２０）。
【００７３】
具体的には、第２取得部１５７は、記憶部１４に記憶されている複数の番組の録画登録情報のうち、既に録画されている番組に対応する録画登録情報を第１リストとして取得する。また、第２取得部１５７は、通信ネットワークＮを介して受信装置１に接続されている外部機器のうち、録画装置としてのテレビ受信機４を特定し、テレビ受信機４から第２リストを取得する。第２リストには、第１リストと同様に、録画する番組に対応するチャンネル情報、タイトル情報、録画時刻情報、及び品質情報が含まれている。
【００７４】
例えば、受信装置１及びテレビ受信機４は、ＤＬＮＡ（Digital Living Network Alliance）（登録商標）に対応している。テレビ受信機４は、録画した番組をコンテンツとして提供するデジタルメディアサーバ（ＤＭＳ：Digital Media Server）として機能する。また、テレビ受信機４は、録画した番組をコンテンツとして取得し、コンテンツを再生するデジタルメディアプレーヤー（ＤＭＰ：Digital Media Player）として機能する。受信装置１は、ＤＭＳにアクセスし、再生するコンテンツを選択するとともに、ＤＭＰを選択するデジタルメディアコントローラ（ＤＭＣ：Digital Media Controller）として機能する。
【００７５】
第２取得部１５７は、通信部１２及びＨＤＭＩケーブルＨＣを介してテレビ受信機４に関する情報を取得し、当該テレビ受信機４に関する情報に含まれるメーカー及び型番を示す情報を特定する。第２取得部１５７は、特定したメーカー及び型番に基づいて、通信ネットワークＮに接続されている複数の外部機器のうち、ＤＭＳとして機能するテレビ受信機４を特定する。第２取得部１５７は、テレビ受信機４から、テレビ受信機４が録画した番組を示すリストを第２リストとして取得する。このようにすることで、受信装置１は、テレビ受信機４に設けられたメーカー独自の拡張機能を用いずに、テレビ受信機４において録画した番組を示す第２リストを取得することができる。
【００７６】
続いて、表示制御部１５４は、取得された第１リストと第２リストとを含む統合リストをテレビ受信機４に表示させる（Ｓ５３０）。例えば、表示制御部１５４は、第１リストと第２リストとに含まれる録画時刻情報が示す録画時刻が古い順に、第１リストに含まれる情報と、第２リストに含まれる情報とをソートする。表示制御部１５４は、ソートされた情報を統合リストとしてテレビ受信機４に表示させる。
【００７７】
続いて、選択部１５８は、統合リストに含まれる番組のうち、再生する番組を選択する（Ｓ５４０）。例えば、リモコン２の第１送信制御部２５１は、統合リストが表示されている場合に決定ボタンの操作を受け付けると、無線通信部２２により、決定を示す操作情報を受信装置１に送信する。受信装置１の選択部１５８は、無線通信部１３が当該操作情報を受信すると、統合リストにおいて選択されている番組を、再生する番組として選択する。
【００７８】
続いて、再生制御部１５９は、選択された番組が第１リストに含まれる番組であるか否かを判定する（Ｓ５５０）。再生制御部１５９は、選択された番組が第１リストに含まれる番組であると判定すると、Ｓ５６０に処理を移す。再生制御部１５９は、選択された番組が第１リストに含まれる番組ではないと判定すると、選択された番組が第２リストに含まれる番組であると判定し、Ｓ５７０に処理を移す。
【００７９】
再生制御部１５９は、選択された番組が第１リストに含まれる番組であると判定すると、録画部１５６が録画した番組を再生する（Ｓ５６０）。再生制御部１５９は、選択された番組に対応する動画情報を記憶部１４から取得し、通信部１２及びＨＤＭＩケーブルＨＣを介して、当該動画情報に対応する映像信号及び音声信号をテレビ受信機４に出力する。これにより、テレビ受信機４は、録画部１５６が録画した番組を表示する。
【００８０】
再生制御部１５９は、選択された番組が第２リストに含まれる番組であると判定すると、テレビ受信機４に通信ネットワークＮを介して当該番組の再生を指示する（Ｓ５７０）。具体的には、再生制御部１５９は、第２取得部１５７が取得したテレビ受信機４に関する情報に含まれているテレビ受信機４のメーカー及び型番を示す情報を特定する。
【００８１】
再生制御部１５９は、特定したメーカー及び型番を示す情報に基づいて、通信ネットワークＮに接続されている複数の外部機器のうち、ＤＭＰとして機能するテレビ受信機４を特定する。再生制御部１５９は、テレビ受信機４に、テレビ受信機４が録画した番組であって、選択部１５８が選択した番組の再生を指示する。このようにすることで、受信装置１は、テレビ受信機４に設けられたメーカー独自の拡張機能を用いずに、テレビ受信機４において録画した番組の再生をテレビ受信機４に指示することができる。
【００８２】
第２送信制御部１５３は、再生制御部１５９がテレビ受信機４に番組の再生を指示したことに応じて、無線通信部１３を介して、操作切替情報及び画面切替情報をリモコン２に送信する（Ｓ５８０）。ここで、操作切替情報は、リモコン２における操作対象機器を、受信装置１からテレビ受信機４に切り替えるための情報である。また、画面切替情報は、テレビ受信機４に表示されている画面を、番組の再生画面に切り替えるための情報である。
【００８３】
リモコン２の第１送信制御部２５１は、無線通信部２２を介して操作切替情報を受信すると、操作切替部として機能し、操作対象機器を、受信装置１からテレビ受信機４に切り替える。すなわち、リモコン２の第１送信制御部２５１は、無線通信部２２を介して操作切替情報を受信すると、操作モードをＳＴＢ操作モードからテレビ操作モードに切り替える。これにより、ユーザは、リモコン２を用いて、テレビ受信機４が録画した番組の再生に係る操作を継続することができる。
【００８４】
また、第１送信制御部２５１は、無線通信部２２を介して画面切替情報を受信すると、操作切替部として機能し、発信部２３に、画面切替情報を発信させる。テレビ受信機４は、画面切替情報を受信すると、表示されている画面を、番組の再生画面に切り替える。
【００８５】
なお、再生制御部１５９は、選択された番組が第２リストに含まれる番組であると判定すると、テレビ受信機４に通信ネットワークＮを介して当該番組の再生を指示したが、これに限らない。再生制御部１５９が番組の再生を指示する指示情報をリモコン２に送信し、リモコン２が無線通信部２２を介して指示情報を受信してもよい。そして、リモコン２が、受信した指示情報を発信部２３から発信することにより、テレビ受信機４に番組の再生を指示してもよい。
【００８６】
［本実施形態における効果］
以上のとおり、本実施形態に係る受信システムＳにおいて、受信装置１は、受信装置１において録画された番組のリストである第１リストと、通信ネットワークＮを介してテレビ受信機４において録画された番組のリストである第２リストとを含む統合リストをテレビ受信機４に表示させ、統合リストに含まれる番組のうち、再生する番組として選択された番組が第１リストに含まれる番組である場合に録画部１５６が録画した番組を再生し、選択された番組が第２リストに含まれる番組である場合にテレビ受信機４に通信ネットワークＮを介して当該番組の再生を指示する。
【００８７】
このようにすることで、ユーザは、統合リストに含まれている番組を選択することにより、受信装置１が録画した番組と、テレビ受信機４が録画した番組とのいずれも再生させることができる。よって、ユーザは、受信装置１で録画された番組と、受信装置１で録画されておらず、テレビ受信機４が録画した番組とを、簡単な操作で視聴することができる。
【００８８】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。例えば、上述の実施形態では、リモコン２が、第１操作情報を発信部２３に発信させることで、テレビ受信機４に第１操作情報を送信したが、これに限らない。例えば、テレビ受信機４及びリモコン２がＬＡＮ等の通信ネットワークを介して通信可能である場合に、リモコン２は、当該通信ネットワークを介して第１操作情報をテレビ受信機４に送信してもよい。
【００８９】
また、上述の実施形態では、テレビ受信機４が第２放送信号を受信可能なものとしたが、テレビ受信機４に接続されている第２受信装置が第２放送信号を受信し、第２受信装置が、第２放送信号に対応する映像及び音声をテレビ受信機４に出力させてもよい。
【００９０】
また、上述の実施形態では、録画番組確認操作を受け付けたタイミングで統合リストが生成されることとしたが、これに限らない。統合リストは、番組が録画されたことに応じて生成され、記憶部１４に記憶されるようにしてもよい。そして、表示制御部１５４は、録画番組確認操作を受け付けたことに応じて、記憶部１４に記憶されている統合リストをテレビ受信機４に表示させてもよい。
【００９１】
また、上述の実施形態では、テレビ受信機４が録画機能を有するものとしたが、テレビ受信機４に接続されている録画装置が、第２放送信号に対応する映像を録画するようにしてもよい。そして、リモート録画サーバ６が、録画装置が受信する放送信号に対応する番組の録画登録を行うようにしてもよい。受信装置１は、統合番組表において録画対象の番組が第２放送信号に対応している場合には、リモート録画サーバ６に当該番組の録画登録を行わせてもよい。
【００９２】
そして、受信装置１は、録画装置において録画された番組のリストを第２リストとして取得し、受信装置１において録画された番組のリストである第１リストと、当該第２リストとを含む統合リストをテレビ受信機４に表示させてもよい。受信装置１は、選択された番組が第２リストに含まれる番組である場合に、通信ネットワークＮを介して当該番組の再生を録画装置に指示してもよい。
【００９３】
また、上述の実施形態では、選択部１５８が統合リストを介して番組の選択を受け付け、再生制御部１５９が、選択された番組が第２リストに含まれる番組である場合にテレビ受信機４に通信ネットワークＮを介して当該番組の再生を指示したが、これに限らない。例えば、選択部１５８が統合リストを介して選択した番組が第２リストに含まれる番組である場合に、表示制御部１５４が、第２リストをテレビ受信機４に表示させるようにしてもよい。そして、第２送信制御部１５３が、操作切替情報をリモコン２に送信し、リモコン２における操作対象機器を、受信装置１からテレビ受信機４に変更するようにしてもよい。
【００９４】
また、受信装置１は、リモコン２の操作に基づいて録画登録された番組を取り消してもよい。例えば、表示制御部１５４は、録画登録されている番組のリストをテレビ受信機４に表示させ、リモコン２を介して当該リストから一の番組を選択する操作を受け付ける。表示制御部１５４は、選択された番組のチャンネル情報、タイトル情報、録画時刻情報、品質情報、録画機器情報をテレビ受信機４に表示するとともに、録画登録情報の変更を受け付ける変更ボタンと、録画登録の取り消しを受け付ける取消ボタンとを表示させる。録画登録部１５５は、リモコン２によって取消ボタンを選択する操作を受け付けることにより録画取消操作を受け付ける。
【００９５】
録画登録部１５５は、選択された番組が第１放送信号に対応する番組である場合には、当該番組に対応する録画情報を記憶部１４から消去することにより、当該番組の録画登録を取り消す。また、録画登録部１５５は、選択された番組が第２放送信号に対応する番組である場合には、当該番組に対応する録画登録を取り消す取消指示情報をリモート録画サーバ６に送信する。リモート録画サーバ６は、取消指示情報を受信すると、当該取消指示情報に基づいて当該番組の録画登録を取り消す。テレビ受信機４は、リモート録画サーバ６にアクセスし、録画登録が取り消された番組を特定し、当該番組の録画を取り消す。なお、リモート録画サーバ６は、テレビ受信機４に録画登録が取り消された番組を通知することにより、テレビ受信機４に番組の録画登録の取消を行わせてもよい。録画登録が取り消されると、表示制御部１５４は、記憶部１４に記憶されている録画登録情報を再び取得し、当該録画登録情報をテレビ受信機４に表示させる。これにより、録画登録が取り消された番組の録画登録情報がテレビ受信機４に表示されないこととなる。
【００９６】
また、特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【符号の説明】
【００９７】
１・・・受信装置、１１・・・操作部、１２・・・通信部、１３・・・無線通信部、１４・・・記憶部、１５・・・制御部、１５１・・・取得部、１５２・・・生成部、１５３・・・第２送信制御部、１５４・・・表示制御部、１５５・・・録画登録部、１５６・・・録画部、１５７・・・第２取得部、１５８・・・選択部、１５９・・・再生制御部、２・・・リモコン、２１・・・操作部、２１１・・・４Ｋボタン、２１２・・・共用ボタン、２１３・・・ＳＴＢ専用ボタン、２２・・・無線通信部、２３・・・発信部、２４・・・記憶部、２５・・・制御部、２５１・・・第１送信制御部、３・・・分波器、４・・・テレビ受信機、５・・・番組表サーバ、６・・・リモート録画サーバ、Ｓ・・・受信システム
【図１】
2018093262.tif 000003
【図２】
2018093262.tif 000004
【図３】
2018093262.tif 000005
【図４】
2018093262.tif 000006
【図５】
2018093262.tif 000007
【図６】
2018093262.tif 000008
【図７】
2018093262.tif 000009
【図８】
2018093262.tif 000010
【図９】
2018093262.tif 000011
【図１０】
2018093262.tif 000012